(57)【要約】【課題】デュアで気化したヘリウムガスを再使用でき、シールドルームにノイズ源がなく且つデュアの傾きを調整可能にする。【解決手段】ハンドルを操作して回動軸を軸回転させると、回動軸とデュアと冷凍機とトランスファチューブとが一つの剛体として一体的に回動し、デュアの傾きを変えることが出来る。この時、ガイド孔が円弧状であるため、トランスファチューブは、回動軸を中心とする円弧上を支障なく移動できる。また、重い冷凍機が回動軸に与える回転モーメントをカウンターウエイトが相殺するため、軽い力でハンドルを操作できる。【効果】冷凍機により、デュアで気化したヘリウムガスを再使用できる。シールドルーム外に冷凍機があり、シールドルームにノイズ源がない。円弧状のガイド孔をトランスファチューブが移動し、デュアの傾きを変えることが出来る。【選択図】  図１
2004215777.tif 000002
【特許請求の範囲】
【請求項１】
シールドルーム（１）と、前記シールドルーム（１）の側壁（１ａ）を貫通し軸回動する回動軸（３）と、前記回動軸（３）のシールドルーム内側部に保持され前記回動軸（３）の軸回動と一体的に傾きを変えうるデュア（４）と、前記回動軸（３）のシールドルーム外側部から上方へ延設された上方支持部材（５）と、前記上方支持部材（５）によって前記デュア（４）よりも高い位置に支持され前記回動軸（３）の軸回動と一体的に位置を変えうる冷凍機（６）と、前記シールドルーム（１）の側壁（１ａ）を貫通して前記冷凍機（６）と前記デュア（４）とを結合し前記冷凍機（６）から前記デュア（４）に液体ヘリウムを供給し且つ前記デュア（４）で気化したヘリウムガスを前記冷凍機（６）へ戻すためのトランスファチューブ（７）とを具備し、前記シールドルーム（１）の側壁（１ａ）には前記回動軸（３）を貫通させるための軸孔（８）および前記回動軸（３）の軸回動に伴って移動可能に前記トランスファチューブ（７）を貫通させるガイド孔（９）を有することを特徴とする脳磁気測定装置（１００）。
【請求項２】
請求項１に記載の脳磁気測定装置（１００）において、前記回動軸（３）のシールドルーム外側部から下方へ延設された下方支持部材（１０）と、前記下方支持部材（１０）に支持され前記冷凍機（６）と重量的バランスをとるためのカウンターウエイト（１１）とを具備したことを特徴とする脳磁気測定装置（１００）。
【発明の詳細な説明】
【０００１】
【発明の属する技術分野】
本発明は、脳磁気測定装置に関し、さらに詳しくは、デュアで気化したヘリウムガスを再使用でき、シールドルーム内にノイズ源がなく、且つ、デュアの傾きを変えることが出来る脳磁気測定装置に関する。
【０００２】
【従来の技術】
従来、デュアに直接または緩衝材を介して冷凍機を取り付け、冷凍機からデュアに液体ヘリウムを供給し且つデュアで気化したヘリウムガスを冷凍機に戻して液体化し再使用する脳磁気測定装置が知られている（例えば、特許文献１参照。）。
また、シールドルーム外の液体ヘリウムコンテナとシールドルーム内のデュアとを液体ヘリウム供給チューブで結合し、気化により減少した分の液体ヘリウムを液体ヘリウムコンテナからデュアに液体ヘリウム供給チューブを介して補充する脳磁気測定装置が知られている（例えば、特許文献２参照。）。
【０００３】
【特許文献１】
特開平５−３３３１２５号公報（［００２０］，図２）
【特許文献２】
特開平１１−２０６７２９号公報（［００１６］，図１）
【０００４】
【発明が解決しようとする課題】
デュアに直接または緩衝材を介して冷凍機を取り付ける従来技術では、デュアで気化したヘリウムガスを再使用できる利点がある。しかし、シールドルーム内に冷凍機が入ることになるため、冷凍機がノイズ源となりかねない問題点がある。
他方、シールドルーム外の液体ヘリウムコンテナから液体ヘリウムを補充する従来技術では、シールドルーム内にノイズ源がない利点がある。しかし、デュアで気化したヘリウムガスを再使用できない問題点がある。また、シールドルームの側壁を貫通して液体ヘリウムコンテナとデュアとを結合している液体ヘリウム供給チューブが実質的に剛体（断熱のため多重構造になっており、柔軟性がない）であるために、デュアの傾きを変えられない問題点がある。
そこで、本発明の目的は、デュアで気化したヘリウムガスを再使用でき、シールドルーム内にノイズ源がなく、且つ、デュアの傾きを変えることが出来る脳磁気測定装置を提供することにある。
【０００５】
【課題を解決するための手段】
第１の観点では、本発明は、シールドルーム（１）と、前記シールドルーム（１）の側壁（１ａ）を貫通し軸回動する回動軸（３）と、前記回動軸（３）のシールドルーム内側部に保持され前記回動軸（３）の軸回動と一体的に傾きを変えうるデュア（４）と、前記回動軸（３）のシールドルーム外側部から上方へ延設された上方支持部材（５）と、前記上方支持部材（５）によって前記デュア（４）よりも高い位置に支持され前記回動軸（３）の軸回動と一体的に位置を変えうる冷凍機（６）と、前記シールドルーム（１）の側壁（１ａ）を貫通して前記冷凍機（６）と前記デュア（４）とを結合し前記冷凍機（６）から前記デュア（４）に液体ヘリウムを供給し且つ前記デュア（４）で気化したヘリウムガスを前記冷凍機（６）へ戻すためのトランスファチューブ（７）とを具備し、前記シールドルーム（１）の側壁（１ａ）には前記回動軸（３）を貫通させるための軸孔（８）および前記回動軸（３）の軸回動に伴って移動可能に前記トランスファチューブ（７）を貫通させるガイド孔（９）を有することを特徴とする脳磁気測定装置（１００）を提供する。
上記第１の観点による脳磁気測定装置（１００）では、冷凍機（６）を用いるため、デュア（４）で気化したヘリウムガスを再使用できる。また、シールドルーム（１）外に冷凍機（６）を置くため、シールドルーム（１）内にノイズ源がない。さらに、回動軸（３）とデュア（４）と冷凍機（６）とトランスファチューブ（７）とが全体として一体的に回動可能になっているため、デュア（４）の傾きを変えることが出来る。
【０００６】
第２の観点では、本発明は、上記構成の脳磁気測定装置（１００）において、前記回動軸（３）のシールドルーム外側部から下方へ延設された下方支持部材（１０）と、前記下方支持部材（１０）に支持され前記冷凍機（６）と重量的バランスをとるためのカウンターウエイト（１１）とを具備したことを特徴とする脳磁気測定装置（１００）を提供する。
上記第２の観点による脳磁気測定装置（１００）では、カウンターウエイト（１１）を設けたため、重い冷凍機（６）が回動軸（３）に与える回転モーメントを相殺でき、デュア（４）の傾きを変えることが容易になる。
【０００７】
【発明の実施の形態】
以下、図に示す実施形態により本発明をさらに詳細に説明する。なお、これにより本発明が限定されるものではない。
【０００８】
図１は、本発明の一実施形態に係る脳磁気測定装置１００を示す斜視図である。
この脳磁気測定装置１００において、回動軸３は、外部ノイズを遮断するためのシールドルーム１内で支持壁２により軸回動可能に支承されると共に、その一端側がシールドルーム１の側壁１ａを貫通してシールドルーム１外に突出している。シールドルーム１の側壁１ａには、回動軸３を貫通させるための円形の軸孔８が穿設されている。
【０００９】
ＳＱＵＩＤセンサを内蔵するデュア４は、シールドルーム１内で回動軸３に保持されている。
【００１０】
シールドルーム１の外側へ突出した回動軸３の端部からは上方支持部材５が上方へ延設されており、その上方支持部材５によって冷凍機６がデュア４よりも高い位置に支持されている。
また、シールドルーム１の外側へ突出した回動軸３の端部からは下方支持部材１０が下方へ延設されており、その下方支持部材１０によってカウンターウエイト１１が冷凍機６と重量的バランスをとるように支持されている。
【００１１】
トランスファチューブ７は、シールドルーム１の側壁１ａを貫通して冷凍機６とデュア４とを結合し、冷凍機６からデュア４に液体ヘリウムを供給し且つデュア４で気化したヘリウムガスを冷凍機６へ戻す。冷凍機６は、ヘリウムガスを液体化し、再びデュア４に供給する。シールドルーム１の側壁１ａには、トランスファチューブ７を貫通させるための円弧状のガイド孔９が穿設されている。なお、冷凍機６がデュア４よりも高い位置に支持されているため、冷凍機６からデュア４への液体ヘリウムの供給に重力を利用できる。
【００１２】
図２に示すように、トランスファチューブ７は、中心に液体ヘリウム供給路７ａを有し、その液体ヘリウム供給路７ａの周りに真空断熱部７ｂを有し、その真空断熱部７ｂの周りにヘリウムガス戻り路７ｃを有し、そのヘリウムガス戻り路７ｃの周りに真空断熱部７ｄを有している。このような多重構造のため、トランスファチューブ７は、柔軟性がなく、実質的に剛体である。
【００１３】
被検体の姿勢に合わせるためにデュア４の傾きを変えたい場合は、ハンドル１２を操作して回動軸３を軸回転させる。すると、回動軸３とデュア４と冷凍機６とトランスファチューブ７とが一つの剛体として一体的に回動し、デュア４の傾きを変えることが出来る。この時、ガイド孔９が円弧状であるため、トランスファチューブ７は、回動軸３を中心とする円弧上を支障なく移動できる。また、重い冷凍機６が回動軸３に与える回転モーメントをカウンターウエイト１１が相殺するため、軽い力でハンドル１２を操作できる。
【００１４】
上記脳磁気測定装置１００によれば、冷凍機６を用いるため、デュア４で気化したヘリウムガスを再使用できる。また、シールドルーム１の外に冷凍機６を置くため、シールドルーム１内にノイズ源がない。さらに、デュア４の傾きを容易に変えることが出来る。
【００１５】
【発明の効果】
本発明の脳磁気測定装置によれば、デュアで気化したヘリウムガスを再使用でき、シールドルーム内にノイズ源がなく、且つ、デュアの傾きを変えることが出来る。
【図面の簡単な説明】
【図１】本発明の一実施形態に係る脳磁気測定装置の斜視図である。
【図２】トランスファチューブの断面図である。
【符号の説明】
１          シールドルーム
２          支持壁
３          回動軸
４          デュア
５          上方支持部材
６          冷凍機
７          トランスファチューブ
８          軸孔
９          ガイド孔
１０        下方支持部材
１１        カウンターウエイト
１２        ハンドル
１００      脳磁気測定装置
【図１】
2004215777.tif 000003
【図２】
2004215777.tif 000004